(57)【要約】【課題】極めて短い奥行きで大画面表示を行うことができ、設置及び収納の手間を省くことができ、非使用時には占有スペースを必要としない投射表示装置を提供すること。【解決手段】非球面ミラー２を有するプロジェクタ１と、収納部６と、開閉板８と、平面ミラー１０と、スクリーン１１と、を備え、フロント投射型のプロジェクタ１は、床５の内部に設けられた収納部６の内部の所定位置に設置され、プロジェクタ１から非球面ミラー２を介して投射される投射光１２は、平面ミラー１０で反射された後、スクリーン１１に投射される。【選択図】      図１
2004252156.tif 000002
【特許請求の範囲】
【請求項１】
上部に開口部を有する箱体であって床に設けられた開口部に埋設された収納部と、前記収納部の前記開口部を開閉する開閉板と、前記収納部に設けられて前記開閉板が開状態であるときに光を投射するプロジェクタと、を備えることを特徴とする投射表示装置。
【請求項２】
前記開閉板の端辺に回転軸を備えることを特徴とする請求項１記載の投射表示装置。
【請求項３】
前記開閉板として、折り畳むことができる連結された複数の開閉板を備えることを特徴とする請求項１記載の投射表示装置。
【請求項４】
前記開閉板に設けられて前記開閉板が開状態であるときに前記光を反射する平面ミラーを備えることを特徴とする請求項１記載の投射表示装置。
【請求項５】
上部に開口部を有する箱体と、前記開口部を開閉する蓋と、前記箱体に設けられて前記蓋が開状態であるときに光を投射するプロジェクタと、前記蓋に設けられて前記蓋が開状態であるときに前記光を反射する平面ミラーと、を備えることを特徴とする投射表示装置。
【請求項６】
前記蓋の端辺に回転軸を備えることを特徴とする請求項５記載の投射表示装置。
【請求項７】
前記箱体に前記プロジェクタの関連機材が収納されることを特徴とする請求項５記載の投射表示装置。
【請求項８】
前記箱体の底部にキャスターを備えることを特徴とする請求項５記載の投射表示装置。
【請求項９】
前記プロジェクタは、非球面ミラーを含み、短い投射距離と高い投射角度との光学特性を有することを特徴とする請求項１から請求項８までのうちの何れか１項記載の投射表示装置。
【発明の詳細な説明】
【０００１】
【発明の属する技術分野】
本発明は、投射表示装置に関し、特に、スクリーン面に画像を投射する投射表示装置に関する。
【０００２】
【従来の技術】
近年、会議、教育、研修、プレゼンテーションの他、宣伝や広告の場面でも大画面表示映像の利用が増えてきている。大画面表示装置としては、フロント投射型プロジェクタやリア投射型プロジェクタなどが用いられ、各々次のような特徴を持っている。フロント投射型プロジェクタは、装置自体が小さく、他の表示装置より大画面の表示が可能であるが、画面サイズに応じた投射距離と投射スペースが必要であり、一般的な機種では１００インチの画面を写すために４ｍ前後の投射距離が必要となる。また、投射距離が短く設計された機種でも２ｍ程度の距離が必要である。一方、リア投射型プロジェクタは、スクリーンと一体となった箱形の表示装置であり、一般に７０インチ程度の画面サイズまで使用されているが、７０インチとなると非常に高価になり本体の容積も大きくなる。このように各表示装置には特徴があり、画面サイズが７０インチ以下ではリア投射型プロジェクタが使用され、８０インチ以上の大画面になるとフロント投射型プロジェクタが使用される。投射距離が必要とされるフロント投射型プロジェクタを用いて大画面を表示する場合、プロジェクタを置き台やテーブルに設置すると、画面の観察者がいるスペースにプロジェクタが入り込んで邪魔となり、プロジェクタ使用時には投射光が通るスペースは使用できず、プロジェクタの非使用時にはプロジェクタを置き台やテーブルに設置したままにしておくとそのスペースを活用することができないので、第１の従来例の投射表示装置として、図１５に示すように、天井３にプロジェクタ２９を設置して壁４の表面に設けられたスクリーン１１に画像を投射するようにしている。また、第２の従来例の投射表示装置として、キャビネットとスクリーンとが一体化されて非球面ミラーを備えることによりフロント投射型プロジェクタでありながら投射距離を短縮させた投射表示装置が知られている（例えば特許文献１参照。）。
【０００３】
【特許文献１】
特開２００２−８２３８７号公報（図１）
【０００４】
【発明が解決しようとする課題】
しかし、第１の従来例の投射表示装置では、床５上に立っている画面の観察者（又は説明者）１４がスクリーン１１に接近すると、プロジェクタ２９の投射光１２の一部が遮られてスクリーン１１上に影が発生し、天井３が低い環境であるほど投射光１２が遮られる割合が大きくなるという問題が発生する。また、天井３が低いとプロジェクタ２９が視界に入り込んで目障りになったり、店であれば店内の雰囲気に影響を与えたりし、また、プロジェクタ２９の設置に必要な天井３の奥行きが確保できない場合には希望する画面サイズが得られなくなり、また、天井が非常に高かったり天井が無かったりして設置工事ができない環境であるとプロジェクタ２９を設置することができないなどという問題も発生する。
【０００５】
また、第２の従来例の投射表示装置では、投射距離は短縮されるものの、非使用時に投射表示装置が占有する容積が大きく邪魔になり、そのスペースを利用することができずに不便であるという問題が発生する。
【０００６】
本発明は、かかる問題点に鑑みてなされたものであって、極めて短い奥行きで大画面表示を行うことができ、設置及び収納の手間を省くことができ、非使用時には占有スペースを必要としない投射表示装置を提供することを目的とする。
【０００７】
【課題を解決するための手段】
本発明の投射表示装置は、上部に開口部を有する箱体であって床に設けられた開口部に埋設された収納部と、前記収納部の前記開口部を開閉する開閉板と、前記収納部に設けられて前記開閉板が開状態であるときに光を投射するプロジェクタと、を備えることを特徴とする。
【０００８】
また、前記開閉板の端辺に回転軸を備えることを特徴とする。
【０００９】
また、前記開閉板として、折り畳むことができる連結された複数の開閉板を備えることを特徴とする。
【００１０】
また、前記開閉板に設けられて前記開閉板が開状態であるときに前記光を反射する平面ミラーを備えることを特徴とする。
【００１１】
また、本発明の投射表示装置は、上部に開口部を有する箱体と、前記開口部を開閉する蓋と、前記箱体に設けられて前記蓋が開状態であるときに光を投射するプロジェクタと、前記蓋に設けられて前記蓋が開状態であるときに前記光を反射する平面ミラーと、を備えることを特徴とする。
【００１２】
また、前記蓋の端辺に回転軸を備えることを特徴とする。
【００１３】
また、前記箱体に前記プロジェクタの関連機材が収納されることを特徴とする。
【００１４】
また、前記箱体の底部にキャスターを備えることを特徴とする。
【００１５】
また、前記プロジェクタは、非球面ミラーを含み、短い投射距離と高い投射角度との光学特性を有することを特徴とする。
【００１６】
【発明の実施の形態】
次に本発明の実施の形態を図面を参照して説明する。図１（ａ）は、本発明の第１の実施の形態の投射表示装置の側面図であり、図１（ｂ）は、その正面図である。図１（ａ）及び図１（ｂ）は、床の内部を透視して示している。図２は、プロジェクタの投射特性図である。図３（ａ）は、本発明の第１の実施の形態の投射表示装置の使用状態の平面図であり、図３（ｂ）は、その収納状態の平面図である。図４は、本発明の第１の実施の形態の投射表示装置の説明図である。図５（ａ）は、本発明の第１の実施の形態の投射表示装置の設置例の平面図であり、図５（ｂ）は、その側面図である。図１（ａ）、図１（ｂ）、図３（ａ）、図３（ｂ）に示すように、本発明の第１の実施の形態の投射表示装置は、非球面ミラー２を有するプロジェクタ１と、収納部６と、開閉板８と、平面ミラー１０と、を備える。
【００１７】
フロント投射型のプロジェクタ１は、床５の内部に設けられた収納部６の内部の所定位置に設置される。収納部６は箱状の形状をなし、上部に開口部６ａを有する箱体が、床５に設けられた開口部５ａの内部スペースに埋設されたものであり、プロジェクタ１を位置決めして固定する機構（図示されていない）を有している。収納部６の上部の開口部６ａには、開口部６ａを閉じる蓋機能を有する開閉板８が備えられる。開閉板８の端辺は、床５の内部に固定された回転軸９を介して床５と結合され、開閉板８は、９０度回転して開口部６ａの開閉動作を行う。又は、開閉板８の端辺が回転軸を介して開口部６ａの一辺と結合され、開閉板８が９０度回転して開口部６ａの開閉動作を行うようにしてもよい。開閉板８の寸法は縦、横共に開口部６ａより大きく、開閉板８は、開口部６ａを閉じるとき、収納部６の周囲の床５の表面に設けられた段差部７の上に位置する。開閉板８が閉状態のとき、開閉板が閉じたときの位置８ａとなって、段差部７によって開閉板８の表面と床５の表面とが同じ高さとなる。
【００１８】
開閉板８の内面には平面ミラー１０が設置される。開閉板８は、開口部６ａを開いた開状態のときに垂直位置を保持する機構（図示されていない）を有し、また、開閉板８は、開口部６ａを閉じて閉状態とするときに平面ミラー１０が衝撃により破損しないように急激に倒れることを防止する機構（図示されていない）を有する。また、開閉板８と段差部７とが突き当たる開閉板８及び段差部７の少なくとも一方の部分には適当な緩衝機構（例えばゴムなどの弾性体）が設置される。また、開閉板８を閉じたときに、プロジェクタ１の非球面ミラー２と平面ミラー１０とが接触することがないように適切な間隔が設けられる。さらに、開閉板８は、閉状態のとき上部に大きな重量や衝撃が加わっても変形したり破損したりせず平面ミラー１０を保護するのに十分な強度と構造を有する。
【００１９】
使用時には開閉板８が開かれ、プロジェクタ１から非球面ミラー２を介して投射される投射光１２は、平面ミラー１０で反射された後、投射画像１３となって天井３と床５との間の壁４の表面に設けられたスクリーン１１に投射される。このとき、プロジェクタ１の投射光１２は床５に当たることがなく、また、全光束が効率良く平面ミラー１０で反射されるように、各関係部分の位置や寸法が決定される。なお、ここではスクリーン１１の表面をスクリーン面として画像を投射するようにしているが、スクリーン１１を使用せずに直接壁４の表面をスクリーン面として画像を投射することもできる。
【００２０】
ここで、プロジェクタ１について説明する。プロジェクタ１は、非球面ミラー２を備え、極めて短い投射距離と高い投射角度との光学特性を有し、非球面ミラー２により拡大された画像を投射するフロント投射型のプロジェクタである。その投射特性の一例を図２に示す。図２は、プロジェクタ１の背面端からスクリーン１１までの距離と画面サイズとの関係、及び投射角度を表している。図２に示された特性は、プロジェクタ１の光学特性の一設計例であって、特性の仕様変更はある範囲で可能であるので、プロジェクタ１の特性は、これに限定されない。また、プロジェクタ１の寸法や重量に関しては、非球面ミラー２が起立した状態で、およそ高さ３０ｃｍ、奥行き３０ｃｍ、幅４０ｃｍ、重量５ｋｇ程度のものが既に試作されており、今後寸法や重量は更に小型化が可能である。
【００２１】
プロジェクタ１の使用が終わると、図３（ｂ）に示すように、開閉板８が閉じられてプロジェクタ１が収納される。収納時には収納部６の上部を開閉板８が蓋となって塞ぎ、床５には閉状態の開閉板８が存在するだけとなるので、収納部６の上部を自由に使用することができる。
【００２２】
図２の投射特性を有するプロジェクタ１によれば、本実施の形態では、開閉板８の寸法は奥行き６０ｃｍ、幅８５ｃｍ程度となり、奥行き６０ｃｍ程度のスペースで約１００インチの大画面が得られる。このように投射距離が極めて短いので、画面の前に人が普通に立っても影ができない。
【００２３】
なお、図４に示すように、使用時に正面の低い位置から見た場合、投射画像１３の一部が開閉板８によって隠れるが、観察者１４が図１（ａ）のような位置関係にある場合には問題とならないし、画面の一部が隠れることが問題となる場合には、プロジェクタ１の解像度変更機能や画像位置シフト機能などを用いて調整可能である。また、映画のように１６：９アスペクト比の画像を見る場合にも、プロジェクタ１に画像位置シフト機能を付加させて投射範囲内で画像を移動させればよい。また、プロジェクタ１への表示映像信号の入力方法は、無線や記録媒体を用いればケーブルの引き回しや配線処理を不要にすることが可能である。
【００２４】
さらに、図５（ａ）、図５（ｂ）に示すように、本実施の形態の投射表示装置をテーブル３０やソファー３１が置かれた小さな部屋に適用すれば、大画面ホームシアターを快適に楽しむことができる。図５（ａ）、図５（ｂ）に示される部屋のサイズは、約１００インチのスクリーン１１に向かって幅２ｍ、奥行き２．５ｍ程度で実現でき、このような狭い場所であってもプロジェクタ１を意識することなく、１００インチという大画面を余裕のあるくつろげる空間をもって楽しむことができる。そして、ホームシアターを楽しんだ後は、開閉板８を閉じればプロジェクタ１は完全に姿を消すので、占有スペースを必要とせず、部屋のスペースを他の目的に自由に使うことができる。
【００２５】
以上説明したように、本発明の第１の実施の形態の投射表示装置によれば、わずか６０ｃｍ程度の極めて短い奥行きで１００インチクラスの大画面を得ることができるという第１の効果が得られる。その理由は、非球面ミラー２を備えて極めて投射距離が短く投射角度が高い光学特性を有するフロント投射型のプロジェクタ１を、床５の内部に設けられた収納部６に設置し、その収納部６の蓋となる開閉板８の内面に平面ミラー１０を取り付け、プロジェクタ１から拡大投射される投射光１２を平面ミラー１０により反射させてスクリーン１１に投射する構成としたことによる。したがって、本発明を適用すれば、従来大画面を表示することが不可能であった場所や施設、店舗などにおいて１００インチもの大画面を表示することが可能となり、例えば、今まで奥行きのないショーウインドウの中では１００インチクラスの画像は静止画であるポスターなどでしか宣伝や広告が行えなかったが、本発明を適用することにより、ショーウインドウの中で１００インチの大画面動画を写し出すことができるようになり、宣伝や広告活動を効果的に行うことができるようになる。
【００２６】
また、本発明の第１の実施の形態の投射表示装置によれば、設置及び収納の手間を省くことができ、非使用時には占有スペースを必要とせず、そのスペースを自由自在に使用できるという第２の効果が得られる。その理由は、床５の内部に設けた収納部６にプロジェクタ１を設置しておき、開閉板８の開閉作業だけで使用と収納を行うことができる構成とし、収納時には開閉板８が床の一部となるように構成したことによる。即ち、使用時には床５の一部をなす開閉板８を開くだけですぐに大画面表示が得られ、収納時には開閉板８を閉じて元に戻すだけで床５の内部の収納部６にプロジェクタ１が収納されるようにしたことによる。
【００２７】
また、本発明の第１の実施の形態の投射表示装置によれば、プレゼンテーション、教育、研修などの場面においても部屋のスペースを有効に使えるだけでなく、投射距離が極めて短いので、説明者や講師が画面の前に立っても画面上に影ができず、画像の観察に影響を与えることがないという第３の効果が得られる。
【００２８】
以上のように、本発明の第１の実施の形態の投射表示装置によれば、多目的で使用する施設や部屋又はイベント会場などにおいて、ある頻度や時間帯などにより大画面表示を必要とする場合に有効な投射表示装置を実現することができる。
【００２９】
次に、図６（ａ）は、本発明の第２の実施の形態の投射表示装置の側面図であり、図６（ｂ）は、その正面図である。図６（ａ）及び図６（ｂ）は、床の内部を透視して示している。図７（ａ）は、本発明の第２の実施の形態の投射表示装置の使用状態の平面図であり、図７（ｂ）は、その収納状態の平面図である。図８は、本発明の第２の実施の形態の投射表示装置の説明図である。本発明の第２の実施の形態の投射表示装置の構成と本発明の第１の実施の形態の投射表示装置の構成との相違部分は、平面ミラー１０を省き、開閉板８を折り畳めるように蝶番部１７により連結された開閉板１５及び開閉板１６に変更した部分のみであり、他の構成部分は同一であるため、図６、図７、図８と、図１、図３、図４と、における同一構成部分には同一符号を付してその説明を省略する。
【００３０】
図６（ａ）、図６（ｂ）、図７（ａ）、図７（ｂ）に示すように、床５に設けられた収納部６の内部にプロジェクタ１が図１とは反対向きに設置され、開閉板１５及び開閉板１６により収納部６の上部開口部が開閉される構成である。開閉板１５及び開閉板１６は、蝶番部１７により連結されて二つに折り畳まれて開くようになっているが、蝶番部を増やして３枚以上連結された複数の開閉板により構成してもよいし、任意に変更が可能である。開閉板１５及び開閉板１６が閉状態のとき、開閉板が閉じたときの位置１５ａとなって、段差部７によって開閉板１５及び開閉板１６の表面と床５の表面とが同じ高さとなる。
【００３１】
使用時には開閉板１５及び開閉板１６が開かれ、プロジェクタ１から非球面ミラー２を介して投射される投射光１２は、直接投射画像１３となってスクリーン１１に投射される。このとき、プロジェクタ１、床５、開閉板１５及び開閉板１６の位置や寸法は、プロジェクタ１の投射光１２が床５によって遮られることがないように決定され、開閉板１５及び開閉板１６を閉じた時には、開閉板１５及び開閉板１６とプロジェクタ１の非球面ミラー２とが接触することがないように適切な間隔が設けられる。さらに、開閉板１５及び開閉板１６は、閉状態のとき上部に大きな重量や衝撃が加わっても変形したり破損したりしないように十分な強度と構造とを有する。
【００３２】
また、収納部６を広くして収納部６の内部でプロジェクタ１を前後に移動させる機構を付加すれば、投射画像サイズを調整可変なものとすることができる。
【００３３】
本実施の形態では平面ミラー１０を使用しないため、投射距離が本発明の第１の実施の形態に対して長くなるが、投射距離に関しては、プロジェクタ１の投射特性仕様を専用に決めれば短縮可能である。また、開閉板１５及び開閉板１６が折り畳まれるため、図８に示すように正面の低い位置から見た場合であっても投射画像１３が隠れることはなく、より見やすくなる。
【００３４】
プロジェクタ１の使用が終わると、図７（ｂ）に示すように、開閉板１５及び開閉板１６が閉じられてプロジェクタ１が収納される。収納時には収納部６の上部を開閉板１５及び開閉板１６が蓋となって塞ぎ、床５には閉状態の開閉板１５及び開閉板１６が存在するだけとなるので、収納部６の上部を自由に使用することができる。
【００３５】
以上説明したように、本発明の第２の実施の形態の投射表示装置によれば、本発明の第１の実施の形態の投射表示装置よりも、さらに見やすくなるという効果が得られる。
【００３６】
次に、図９（ａ）は、本発明の第３の実施の形態の投射表示装置の使用状態の側面図であり、図９（ｂ）は、その収納状態の側面図である。図１０（ａ）は、本発明の第３の実施の形態の投射表示装置の使用状態の正面図であり、図１０（ｂ）は、その収納状態の正面図である。図１１（ａ）は、本発明の第３の実施の形態の投射表示装置の使用状態の平面図であり、図１１（ｂ）は、その収納状態の平面図である。図１２は、本発明の第３の実施の形態の投射表示装置の詳細な平面図である。図１３（ａ）は、本発明の第３の実施の形態の投射表示装置の設置例の側面図であり、図１３（ｂ）は、その正面図である。図１４は、本発明の第３の実施の形態の投射表示装置の説明図である。図９（ａ）、図１０（ａ）、図１３（ａ）、図１３（ｂ）、図１４は、収納箱の内部を透視して示している。
【００３７】
本発明の第３の実施の形態の投射表示装置の構成と本発明の第１の実施の形態の投射表示装置の構成との相違部分は、本発明の第１の実施の形態が床５に埋め込まれて固定された構成であったのに対して、床５の上に設置される移動可能な箱体として構成されるように変更した部分のみであり、他の構成部分は同一であるため、図９、図１０、図１１、図１２、図１３、図１４と、図１、図３、図４と、における同一構成部分には同一符号を付してその説明を省略する。
【００３８】
図９（ａ）、図９（ｂ）、図１０（ａ）、図１０（ｂ）、図１１（ａ）、図１１（ｂ）に示すように、本発明の第３の実施の形態の投射表示装置は、非球面ミラー２を有するプロジェクタ１と、平面ミラー１０と、収納箱１８と、蓋１９と、キャスター２１と、を備える。
【００３９】
プロジェクタ１は、上部に開口部１８ａを有する箱体である収納箱１８の内部に固定され、蓋１９の内面に平面ミラー１０が設置される。蓋１９の端辺は、蝶番部２０を介して収納箱１８の上部の端辺と結合され、蓋１９は、蝶番部２０を回転軸として開口部１８ａを開閉する。蓋１９は、開状態のときに９０度の垂直位置を保持する機構（図示されていない）を有し、また、蓋１９は、閉状態とするときに平面ミラー１０が衝撃により破損しないように急激に倒れることを防止する機構（図示されていない）を有する。また、収納箱１８の上部の端辺と蓋１９とが突き当たる収納箱１８の上部の端辺及び蓋１９の少なくとも一方の部分には適当な緩衝機構（例えばゴムなどの弾性体）が設置される。また、蓋１９を閉じたときに、プロジェクタ１の非球面ミラー２と平面ミラー１０とが接触することがないように適切な間隔が設けられる。収納箱１８の底部の四隅には、移動を容易にするためのキャスター２１が設置される。なお、収納箱１８の移動に際し自走する必要がないときは、キャスター２１はなくてよい。さらに、収納箱１８及び蓋１９は、移動時の揺れ、振動、衝撃などに対して、変形、プロジェクタ１や平面ミラー１０の破損などが発生しないように、十分な強度や内部の緩衝機構を有する。
【００４０】
使用時には蓋１９が開かれ、プロジェクタ１から非球面ミラー２を介して投射される投射光１２は、平面ミラー１０で反射された後、図１３（ａ）、図１３（ｂ）に示すように投射画像１３となって天井３と床５との間の壁４の表面に設けられたスクリーン１１に投射される。プロジェクタ１の投射光１２は、収納箱１８に遮られることがなく、平面ミラー１０によって全光束が効率良く反射するように、収納箱１８の寸法、プロジェクタ１の固定位置、プロジェクタ１の投射角度、平面ミラー１０の固定位置などが決められる。
【００４１】
プロジェクタ１の使用が終わると、図９（ｂ）、図１０（ｂ）、図１１（ｂ）に示すように、蓋１９が閉じられてプロジェクタ１が収納され、収納箱１８は、邪魔にならない別の場所に容易に移動させることができるので、占有スペースを必要としない。
【００４２】
図１２に示すように、収納箱１８の内部には、プロジェクタ１だけではなく画像を表示するために必要な関連機材としてのノート型パーソナルコンピュータ２３、周辺機器２４及び備品類２５が全て一緒に収納される。周辺機器２４としては、ノート型パーソナルコンピュータ２３とともにプロジェクタ１に映像信号を供給するための小型ＤＶＤプレイヤーなどが収納され、備品類２５としては、ＤＶＤソフト、ＣＤ−ＲＯＭ、接続ケーブル、コード類、リモコン、マニュアル類、ＡＣアダプタ、薄型のアンプ内蔵スピーカーなどが収納される。また、移動時に収納物品が動いて破損しないようにするため、収納箱１８の内部には仕切り板２２が備えられ、さらに緩衝材、スペーサーなどが適宜設置される。
【００４３】
このように、本実施の形態においては、投射表示装置一式が一つの収納箱１８に収納されて容易に移動させることができ、かつ占有スペースを極めて小さくすることができる。本実施の形態による収納箱１８の奥行き、幅、高さの寸法は、各々約６０ｃｍ、８０ｃｍ、３５ｃｍとなる。
【００４４】
図１３（ａ）、図１３（ｂ）は、本実施の形態の投射表示装置の設置例を示しているが、図１に示す本発明の第１の実施形態と同等の極めて短い奥行きで１００インチクラスの大画面が得られることがわかる。また、収納箱１８の移動が容易であるため、プロジェクタ１の位置を変えて画面サイズを更に拡大することもできる。さらに、図１４は、本実施の形態の投射表示装置の使用形態を示しているが、収納箱１８には、ＤＶＤプレイヤー、ＤＶＤソフト、アンプ内蔵スピーカー２６など、映画を上映するのに必要な機材が全て収納されて移動することができるので、どこへでも移動して音声を伴った大画面映像を提供することができる。例えば、４：３アスペクト比画面２７と１６：９アスペクト比画面２８とを自由に切り替えて、ミニシアターを非常に小さいスペースで開催することができる。
【００４５】
以上説明したように、本発明の第３の実施の形態の投射表示装置によれば、本発明の第１の実施の形態の投射表示装置と同等の極めて短い奥行きで１００インチクラスの大画面を得ることができるという効果に加え、関連機材を同時に収納して容易に移動させることが可能となり、例えばカラオケボックスのような小さな部屋を即座に１００インチ画面によるミニシアタールームに変えることができるようになるという効果が得られる。
【００４６】
なお、本発明の第１の実施の形態における開閉板８と、本発明の第３の実施の形態における蓋１９とは、９０度の垂直位置に開かれて保持される構成としたが、９０度は一例であり、プロジェクタ１の非球面ミラー２と平面ミラー１０とスクリーン１１との相対関係により、これに限定されるわけではない。
【００４７】
【発明の効果】
本発明による効果は、極めて短い奥行きで大画面表示を行うことができ、設置及び収納の手間を省くことができ、非使用時には占有スペースを必要としない投射表示装置を実現することができることである。
【００４８】
【図面の簡単な説明】
【図１】図１（ａ）は、本発明の第１の実施の形態の投射表示装置の側面図であり、図１（ｂ）は、その正面図である。
【図２】プロジェクタの投射特性図である。
【図３】図３（ａ）は、本発明の第１の実施の形態の投射表示装置の使用状態の平面図であり、図３（ｂ）は、その収納状態の平面図である。
【図４】本発明の第１の実施の形態の投射表示装置の説明図である。
【図５】図５（ａ）は、本発明の第１の実施の形態の投射表示装置の設置例の平面図であり、図５（ｂ）は、その側面図である。
【図６】図６（ａ）は、本発明の第２の実施の形態の投射表示装置の側面図であり、図６（ｂ）は、その正面図である。
【図７】図７（ａ）は、本発明の第２の実施の形態の投射表示装置の使用状態の平面図であり、図７（ｂ）は、その収納状態の平面図である。
【図８】本発明の第２の実施の形態の投射表示装置の説明図である。
【図９】図９（ａ）は、本発明の第３の実施の形態の投射表示装置の使用状態の側面図であり、図９（ｂ）は、その収納状態の側面図である。
【図１０】図１０（ａ）は、本発明の第３の実施の形態の投射表示装置の使用状態の正面図であり、図１０（ｂ）は、その収納状態の正面図である。
【図１１】図１１（ａ）は、本発明の第３の実施の形態の投射表示装置の使用状態の平面図であり、図１１（ｂ）は、その収納状態の平面図である。
【図１２】本発明の第３の実施の形態の投射表示装置の詳細な平面図である。
【図１３】図１３（ａ）は、本発明の第３の実施の形態の投射表示装置の設置例の側面図であり、図１３（ｂ）は、その正面図である。
【図１４】本発明の第３の実施の形態の投射表示装置の説明図である。
【図１５】従来例の投射表示装置の説明図である。
【符号の説明】
１    プロジェクタ
２    非球面ミラー
３    天井
４    壁
５    床
５ａ    開口部
６    収納部
６ａ    開口部
７    段差部
８    開閉板
８ａ    開閉板が閉じたときの位置
９    回転軸
１０    平面ミラー
１１    スクリーン
１２    投射光
１３    投射画像
１４    観察者
１５    開閉板
１５ａ    開閉板が閉じたときの位置
１６    開閉板
１７    蝶番部
１８    収納箱
１８ａ    開口部
１９    蓋
２０    蝶番部
２１    キャスター
２２    仕切り板
２３    パーソナルコンピュータ
２４    周辺機器
２５    備品類
２６    スピーカー
２７    ４：３アスペクト比画面
２８    １６：９アスペクト比画面
２９    プロジェクタ
３０    テーブル
３１    ソファー
【図１】
2004252156.tif 000003
【図２】
2004252156.tif 000004
【図３】
2004252156.tif 000005
【図４】
2004252156.tif 000006
【図５】
2004252156.tif 000007
【図６】
2004252156.tif 000008
【図７】
2004252156.tif 000009
【図８】
2004252156.tif 000010
【図９】
2004252156.tif 000011
【図１０】
2004252156.tif 000012
【図１１】
2004252156.tif 000013
【図１２】
2004252156.tif 000014
【図１３】
2004252156.tif 000015
【図１４】
2004252156.tif 000016
【図１５】
2004252156.tif 000017